(57)【要約】      （修正有）【課題】滑車とガイドレールとの干渉を防ぐとともに、安定した状態で滑車を支持することのできるエレベータ装置の提供。【解決手段】昇降路を昇降移動する昇降体と、昇降路に上下方向へ延在するように立設され、昇降体を案内するガイドレール５ｂ、５ｃと、ガイドレール５ｂ、５ｃの上部に配設される支持梁６と、昇降体を吊るロープ１３と、このロープ１３が滑走自在に巻き掛けられる滑車２１とを有し、ロープ１３の端部および滑車２１を支持梁６に支持するエレベータ装置において、上端が支持梁６に支持されるとともに、下端がガイドレール５ｂの上部に支持される一対の縦柱２０ａ、２０ｂを設け、この一対の縦柱２０ａ、２０ｂ間に、支持梁６に懸垂支持される滑車２１を配置した構成としている。【選択図】図１
2006182491.tif 000002
【特許請求の範囲】
【請求項１】
昇降路を昇降移動する昇降体と、前記昇降路に上下方向へ延在するように立設され、前記昇降体を案内するガイドレールと、前記ガイドレールの上部に配設される支持梁と、前記昇降体を吊るロープと、このロープが滑走自在に巻き掛けられる滑車とを有し、前記滑車を前記支持梁に支持するエレベータ装置において、
上端が前記支持梁に支持されるとともに、下端が前記ガイドレールの上部に支持される一対の縦柱を設け、この一対の縦柱間に、前記支持梁に懸垂支持される前記滑車を配置したことを特徴とするエレベータ装置。
【発明の詳細な説明】
【技術分野】
【０００１】
本発明は、エレベータ装置に係り、特に、ガイドレールの上部に配設される支持梁にロープが巻き掛けられる滑車を備えたエレベータ装置に関する。
【背景技術】
【０００２】
図４は従来のエレベータ装置を示す概略構成図である。
【０００３】
従来のエレベータ装置は、昇降路１を昇降移動する昇降体、例えば乗かご２およびつり合いおもり３と、昇降路１底部に設けられたピットベース４に立設され、乗かご２の昇降移動を案内する一対のガイドレール５ａ（一方は図示せず）と、ピットベース４に立設され、つり合いおもり３の昇降移動を案内するガイドレール５ｂ、５ｃと、ガイドレール５ａ〜５ｃの上部に配設される支持梁６と、側方がガイドレール５ｂに支持されるとともに、固定ロッド７によりピットベース４に固定される巻上機８と、この巻上機８に備えられるトラクションシーブ９と、乗かご２の下部に備えられるかご用滑車１０と、支持梁６に懸垂支持される吊り滑車１１ａ、１１ｂと、つり合いおもり３の上部に設けられるおもり用滑車１２と、一端が支持梁６、他端が図示されないガイドレール５ａに支持されるとともに、その中間部がかご用滑車１０、吊り滑車１１ａ、トラクションシーブ９、吊り滑車１１ｂおよびおもり用滑車１２に巻き掛けられるロープ１３とを有して成っている。なお、ガイドレール５ａ〜５ｃは複数のレール固定ブラケット１４を介して昇降路１の壁面に固定されている。
【０００４】
このように構成した従来のエレベータ装置にあっては、乗かご２およびつり合いおもり３の昇降移動を案内するガイドレール５ａ〜５ｃの上部に支持梁６を備え、この支持梁６およびガイドレール５ａ〜５ｃにより巻上機８、吊り滑車１１ａ、１１ｂ等を支持し、エレベータ機器の荷重をガイドレール５ａ〜５ｃで受けることにより建屋の負担を少なくすることができる（例えば、特許文献１参照）。
【０００５】
しかし、前述したエレベータ装置は支持梁６に吊り滑車１１ａ、１１ｂが懸垂支持される構成となっているが、エレベータの構造によっては、例えば図４に示すように吊り滑車１１ｂとガイドレール５ｂが配置上、干渉する場合があるという問題があった。このため従来、図５に示すように支持梁５の上部に前述した吊り滑車１１ｂに相当する滑車１５を配置し、滑車１５とガイドレール５ｂとの干渉を解消するエレベータ装置が提案されている。
【特許文献１】特開２００１−１６３５５０号公報
【発明の開示】
【発明が解決しようとする課題】
【０００６】
しかしながら、前述した従来のエレベータ装置では、図５に示すように滑車１５が防振ゴム１６を介して支持梁５の上部に配置されていること、また、滑車１５自体が比較的短い幅寸法に対して比較的大きな高さ寸法を有することから、地震等により滑車１５の幅方向、すなわち図５にあって前後方向に揺れが生じると、滑車１５が不安定な状態になるという問題があった。
【０００７】
本発明は、前述した従来技術における実状からなされたもので、その目的は、滑車とガイドレールとの干渉を防ぐとともに、安定した状態で滑車を支持することのできるエレベータ装置を提供することにある。
【課題を解決するための手段】
【０００８】
前記目的を達成するために、本発明は、昇降路を昇降移動する昇降体と、前記昇降路に上下方向へ延在するように立設され、前記昇降体を案内するガイドレールと、前記ガイドレールの上部に配設される支持梁と、前記昇降体を吊るロープと、このロープが滑走自在に巻き掛けられる滑車とを有し、前記ロープの端部および前記滑車を前記支持梁に支持するエレベータ装置において、上端が前記支持梁に支持されるとともに、下端が前記ガイドレールの上部に支持される一対の縦柱を設け、この一対の縦柱間に、前記支持梁に懸垂支持される前記滑車を配置した構成としている。
【０００９】
このように構成した本発明は、ロープが巻き掛けられる滑車は、支持梁に懸垂支持されるとともに、上端が支持梁に、下端がガイドレールの上部に支持される一対の縦柱間に配置される。これによって、滑車がガイドレールと干渉することを防ぐことができ、かつ、安定した状態で滑車を支持することができる。
【発明の効果】
【００１０】
本発明は、滑車を、上端が支持梁に支持されるとともに下端がガイドレールの上部に支持される一対の縦柱間に配置することにより、滑車とガイドレールとの干渉を防ぐことができる。また、安定した状態で滑車を支持することができ、したがって、円滑なロープの滑走を可能とし、機器に掛かる負荷を低減して耐久性の向上を図ることができるとともに、振動の少ない乗り心地の良いエレベータとすることができる。
【発明を実施するための最良の形態】
【００１１】
以下、本発明に係るエレベータ装置の実施形態を図に基づいて説明する。
【００１２】
図１は本発明のエレベータ装置の一実施形態の要部構成を示す正面図、図２は図１のエレベータ装置の側面図、図３は図１のエレベータ装置の平面図である。なお、前述した図２に示すものと同等のものには同一符号が付してある。すなわち、５ｂ、５ｃはガイドレール、６は支持梁、１３はロープ、１４はレール固定ブラケットである。
【００１３】
本実施形態のエレベータ装置は図１に示すように、ガイドレール５ｂは、その上端が支持梁６の下方に位置するよう短く形成され、これらガイドレール５ｂ上端と前記支持梁６間に、上端が支持梁６に支持されるとともに、下端がガイドレール５ｂの上部に支持される一対の縦柱２０ａ、２０ｂを設け、この一対の縦柱２０ａ、２０ｂ間に、支持梁６に懸垂支持される滑車２１を配置している。
【００１４】
また、支持梁６は図１ないし図３に示すように、対向する一対のコの字形状の梁部材６ａ、６ｂから成り、一端が固定台２２によりガイドレール５ｃに取付けられるとともに、中間部が縦柱２０ａ、２０ｂに支持される。さらに、支持梁６の中間部上面には固定ブラケット２３が立設され、この固定ブラケット２３はレール固定ブラケット１４に固定される。
【００１５】
さらに、縦柱２０ａ、２０ｂは図１、図２に示すように、それぞれの上端が梁部材６ａ、６ｂの側面形状に沿うように形成されるとともにボルト２４により梁部材６ａ、６ｂに固定され、それぞれの下端がレール上部固定台２５にボルト２６により固定され、その上でレール上部固定台２５がレールクリップ２７を介してガイドレール５ｂに取付けられる構造となっている。
【００１６】
また、滑車２１は図１ないし図３に示すように、上方に延設されるとともに一対の梁部材６ａ、６ｂ間に配置されるロッド２８ａ、２８ｂを備え、これらのロッド２８ａ、２８ｂに螺合されるナット２９ａ、２９ｂにより防振ゴム３０を介して梁部材６ａ、６ｂに固定される。
【００１７】
このように構成した本実施形態のエレベータ装置によれば、滑車２１を、上端が支持梁６に支持されるとともに下端がガイドレール５ｂの上部に支持される一対の縦柱２０ａ、２０ｂ間に配置することにより、滑車２１とガイドレール５ｂとの干渉を防ぐことができる。また、滑車２１は支持梁６に懸垂支持されるとともに、この滑車２１に設けられたロッド２８ａ、２８ｂが縦柱２０ａ、２０ｂ、固定台２２およびレール上部固定台２５等により堅牢に支持された一対の梁部材６ａ、６ｂ間に挿通されることにより、図１中、前後方向の動きも規制され、これによって、滑車２１は安定した状態で支持されて円滑なロープの滑走を可能とし、機器に掛かる負荷を低減して耐久性の向上を図ることができるとともに、振動の少ない乗り心地の良いエレベータとすることができる。
【図面の簡単な説明】
【００１８】
【図１】本発明のエレベータ装置の一実施形態の要部構成を示す正面図である。
【図２】図１のエレベータ装置の側面図である。
【図３】図１のエレベータ装置の平面図である。
【図４】従来のエレベータ装置を示す概略構成図である。
【図５】従来のエレベータ装置の要部構成を示す正面図である。
【符号の説明】
【００１９】
５ａ〜５ｃ      ガイドレール
６              支持梁
６ａ、６ｂ      梁部材
１３            ロープ
１４            レール固定ブラケット
２０ａ、２０ｂ  縦柱
２１            滑車
２２            固定台
２３            固定ブラケット
２５            レール上部固定台
２７            レールクリップ
２８ａ、２８ｂ  ロッド
３０            防振ゴム  
【図１】
2006182491.tif 000003
【図２】
2006182491.tif 000004
【図３】
2006182491.tif 000005
【図４】
2006182491.tif 000006
【図５】
2006182491.tif 000007